(57)【要約】      （修正有）【課題】被記録材の後端が搬送用ローラーのニップ点を通過した直後の急激な下方への移動と、反動による跳ね上がりを防止すること。【解決手段】本発明の記録装置は、記録ヘッド5と、記録実行領域に供給された被記録材を支持する支持部材と、支持部材の前記記録実行領域における支持面11に向けて該被記録材を供給する搬送用ローラー13とを備え、支持部材3の搬送用ローラー13側となる上流側端部は、搬送用ローラー13のニップ点Ｎ側に行くに従って前記記録実行領域における支持面11に対して登り傾斜の傾斜案内部43を有し、該傾斜案内部43は、搬送用ローラー13のニップ点Ｎにおける接線Ｌが作る面に対して前記記録ヘッド5と反対側に位置するように構成されている。【選択図】図１
2011101983.tif 000002
【特許請求の範囲】
【請求項１】
被記録材の被記録面にインクを吐出して記録を実行する記録ヘッドと、
記録実行領域に供給された被記録材を支持する支持部材と、
前記支持部材の前記記録実行領域における支持面に向けて該被記録材を供給する搬送用ローラーと、を備え、
前記支持部材の前記搬送用ローラー側となる上流側端部は、前記搬送用ローラーのニップ点側に行くに従って前記支持面に対して登り傾斜の傾斜案内部を有し、
該傾斜案内部は、前記搬送用ローラーのニップ点における接線が作る面に対して前記記録ヘッドと反対側に位置するように構成されていることを特徴とする記録装置。
【請求項２】
請求項１に記載の記録装置において、
前記記録実行領域における前記支持面と前記傾斜案内部との境界と、前記傾斜案内部の前記接線が作る面に最も近い部位とを結ぶ線分の延長線が、前記搬送用ローラーのニップ点を通るように構成されていることを特徴とする記録装置。
【請求項３】
請求項１に記載の記録装置において、
前記記録実行領域における前記支持面と前記傾斜案内部との境界と、前記傾斜案内部の前記接線が作る面に最も近い部位とを結ぶ線分の延長線が、前記搬送用ローラーのニップ点より下流位置において前記接線と交差するように構成されていることを特徴とする記録装置。
【請求項４】
請求項１〜３のいずれか１項に記載の記録装置において、
前記傾斜案内部は、凹曲面に形成されていることを特徴とする記録装置。
【発明の詳細な説明】
【技術分野】
【０００１】
本発明は、被記録材の被記録面にインクを吐出して記録を実行する記録ヘッドと、記録実行領域に供給された被記録材を支持する支持部材と、前記支持部材の前記記録実行領域における支持面に向けて該被記録材を供給する搬送用ローラーと、を備えた記録装置に関する。
【背景技術】
【０００２】
インクジェットプリンターの記録実行領域に供給された被記録材（以下、「用紙」ともいう）は、記録ヘッドとの間の所定のギャップを規定する支持部材によって下面が支持され、搬送用ローラーの挟圧送り作用によって下流に向けて搬送されながら、上方の記録ヘッドからインクが吐出されることによって所望の記録が実行される。  
前記支持部材の上面には、直接、用紙の下面に当接する支持面を備える支持リブが複数本、幅方向に適宜の間隔を空けて設けられている。該支持リブの搬送用ローラー側となる上流側端部は、下記の特許文献１に示すように搬送用ローラー側に行くに従って前記支持面より低くなる下り傾斜の傾斜面を有していた。
【０００３】
一方、記録実行領域に供給される用紙には、用紙を所定サイズにカットした際や給送時の摩擦等によって用紙の端辺部等の一部が擦すられたり、削られることで紙粉が発生し、当該発生した紙粉が付着した用紙が記録実行領域に供給されることで記録ヘッドに前記紙粉が付着する場合がある。  
そこで、用紙が記録実行領域に供給される前の段階で前記紙粉を収集する紙粉収集部材を備えたインクジェットプリンターも下記の特許文献２に示すように開示されている。
【先行技術文献】
【特許文献】
【０００４】
【特許文献１】特開２００３−３２６７９８号公報
【特許文献２】特開２００８−２１３２５５号公報
【発明の概要】
【発明が解決しようとする課題】
【０００５】
しかし、上記のように、支持リブの前記上流側端部が搬送用ローラーに対して下り傾斜になると、搬送用ローラーのニップ点から該上流側端部の支持面との間の距離が長くなる。従って、用紙の後端が搬送用ローラーのニップ点を通過した直後の用紙後端の下方への移動距離が長くなり、支持リブの該上流側端部の支持面に当接した反動で用紙の後端が跳ね上がる現象が生ずる。
【０００６】
このような用紙後端の跳ね上がり現象が生ずると、用紙の後端が記録ヘッドのインク吐出面に接触して用紙を汚したり、発生した気流によって紙粉やインクミストを上方に巻き上げて、インクノズルを詰まらせたり、プリンター本体内部にインクを付着させたりする問題がある。  
また、この場合特許文献２に示すように記録実行領域の上流位置に紙粉収集部材を設ければ、前記紙粉の飛散は防止できるが、装置の大型化や複雑化を招いて製品コストを増大させる要因になってしまう。
【０００７】
本発明の課題は、被記録材の後端が搬送用ローラーのニップ点を通過した直後の急激な下方への移動と、反動による跳ね上がりを防止することができるようにすることにある。
【課題を解決するための手段】
【０００８】
前記課題を解決するために本発明の第１の態様に係る記録装置は、被記録材の被記録面にインクを吐出して記録を実行する記録ヘッドと、記録実行領域に供給された被記録材を支持する支持部材と、前記支持部材の前記記録実行領域における支持面に向けて該被記録材を供給する搬送用ローラーと、を備え、前記支持部材の前記搬送用ローラー側となる上流側端部は、前記搬送用ローラーのニップ点側に行くに従って前記記録実行領域における支持面に対して登り傾斜の傾斜案内部を有し、該傾斜案内部は、前記搬送用ローラーのニップ点における接線が作る面に対して前記記録ヘッドと反対側に位置するように構成されていることを特徴とするものである。
【０００９】
本態様によれば、前記支持部材の前記搬送用ローラー側となる上流側端部は、前記搬送用ローラーのニップ点側に行くに従って前記記録実行領域における支持面に対して登り傾斜の傾斜案内部を有しているので、被記録材の後端が搬送用ローラーのニップ点を通過した直後の下方への移動距離を小さくすることができる。  
従って、被記録材の後端が支持部材の上流側端部、即ち前記傾斜案内部に当接した反動による被記録材の跳ね上がりが小さくなる。また、該跳ね上がりによって生ずる紙粉やインクミストの飛散に起因するノズル開口の目詰まりや記録装置本体内部へのインクの付着等が新たな構成部材を追加することなく効果的に低減される。
【００１０】
本発明の第２の態様は、前記第１の態様の記録装置において、前記記録実行領域における前記支持面と前記傾斜案内部との境界と、前記傾斜案内部の前記接線が作る面に最も近い部位とを結ぶ線分の延長線が、前記搬送用ローラーのニップ点を通るように構成されていることを特徴とするものである。
【００１１】
本態様によれば、被記録材の後端が搬送用ローラーのニップ点を通過した直後の下方への移動距離を極めて小さく抑えることができるので、搬送用ローラーのニップ点の通過前後で被記録材の姿勢の変化が少なくなる。これにより、前記反動による被記録材の跳ね上がりを一層効果的に防止して紙粉等の飛散を低減することができる。
【００１２】
本発明の第３の態様は、前記第１の態様の記録装置において、前記記録実行領域における前記支持面と前記傾斜案内部との境界と、前記傾斜案内部の前記接線が作る面に最も近い部位とを結ぶ線分の延長線が、前記搬送用ローラーのニップ点より下流位置において前記接線と交差するように構成されていることを特徴とするものである。
【００１３】
本態様によれば、傾斜案内部の傾斜角度が大きくなった分、被記録材が前記支持面に当接した時に生ずる撓みを受け止める撓み許容スペースを大きく取ることができる。そして、被記録材の後端が搬送用ローラーのニップ点を通過する際に該被記録材の後端が押し込まれるような力が作用した場合でも、前記大きくなった撓み許容スペース内で被記録材はループを形成して搬送速度の変動を受け止めることができ、記録実行精度の低下を防止することができる。
【００１４】
本発明の第４の態様置は、前記第１の態様から第３の態様のいずれか１つの態様の記録装置において、前記傾斜案内部は、凹曲面に形成されていることを特徴とするものである。
【００１５】
本態様によれば、搬送用ローラーから繰り出された被記録材の、当該支持部材の前記案内傾斜部から前記記録実行領域における支持面にかけての搬送が円滑になり、特に被記録材の先端部の、前記案内傾斜部と前記記録実行領域における支持面との境界部での引っ掛かりが防止されて記録実行精度の一層の向上を図ることができる。
【図面の簡単な説明】
【００１６】
【図１】本発明の実施例１に係る記録装置の内部構造の概略を示す側断面図。
【図２】本発明の実施例１に係る記録装置の内部構造の概略を示す平面図。
【図３】本発明の実施例１の変形例に係る記録装置の内部構造の概略を示す平面図。
【図４】本発明の実施例２に係る記録装置の内部構造の概略を示す側断面図。
【図５】本発明の実施例３に係る記録装置の内部構造の概略を示す側断面図。
【図６】本発明の実施例４に係る記録装置の内部構造の概略を示す側断面図。
【図７】本発明の実施例５に係る記録装置の内部構造の概略を示す側断面図。
【図８】本発明の実施例５の変形例に係る記録装置の内部構造の概略を示す側断面図。
【発明を実施するための形態】
【００１７】
以下、本発明に係る記録装置について下記の実施例１から実施例５の五つの実施例を例にとって図面に基づいて具体的に説明する。尚、前記五つの実施例では、本発明の記録装置を実施するための形態としてインクジェットプリンター１を採り上げ、本発明の特徴的構成である支持部材３の構造を中心にして説明する。
【００１８】
［実施例１］（図１〜図３参照）
実施例１に係る記録装置１Ａは、被記録材（以下、「用紙」ともいう）Ｐの被記録面にインクを吐出して記録を実行する記録ヘッド５と、記録実行領域７に供給された用紙Ｐを支持する支持リブ９Ａを備えた支持部材３Ａと、前記支持リブ９Ａの支持面１１に向けて用紙Ｐを供給する搬送用ローラー１３と、記録が実行された用紙Ｐを外部に排出する排出用ローラー１９と、を基本的に具備することによって構成されている。
【００１９】
記録ヘッド５は、記録実行領域７の上部に設けられており、一例として用紙Ｐの搬送方向Ａと交差する幅方向Ｂを走査方向として往復移動するキャリッジ２５に対して搭載されている。記録ヘッド５の下面は、インク吐出面２７になっていて、各色のインクを各別に吐出する図示しないノズル開口が複数設けられている。  
支持部材３Ａは、記録実行領域７の下部に設けられており、該記録実行領域７に供給された用紙Ｐを支持してその搬送を案内する役割りと、前記記録ヘッド５との間のギャップＰＧを規定する役割りを有している。
【００２０】
支持部材３Ａの上面には、直接、用紙Ｐの下面に当接して用紙Ｐを支持する支持リブ９Ａが図２に示すように幅方向Ｂに適宜の間隔を空けて搬送方向Ａに沿うように複数本、設けられている。  
支持リブ９Ａは、記録実行領域７に存する中間に位置する支持作用部２９と、搬送用ローラー１３側の端部に位置する上流側端部３１Ａと、排出用ローラー１９側の端部に位置する下流側端部３３と、を備えている。
【００２１】
支持作用部２９は、記録実行中の用紙Ｐの姿勢が前記記録ヘッド５のインク吐出面２７と平行になるように支持する部位であり、支持面１１が一例として図示のような水平面によって形成されている。
【００２２】
図１に示すように、上流側端部３１Ａは、搬送用ローラー１３側に行くに従って高くなる登り傾斜の傾斜面である傾斜案内部４３を有するように、上流の搬送ローラー１９側に突出する形で形成されている。そして、前記上流側端部３１Ａの最高支持高さＨは、搬送用ローラー１３のニップ点Ｎから繰り出される用紙Ｐの搬送経路３５よりも低くなるように設定されている。  
また、下流側端部３３は、記録が実行された用紙Ｐを支持リブ９Ａから排出用ローラー１９に向けて受け渡す部位であり、本実施例では、排出用ローラー１９側に行くに従って低くなる下り傾斜の形状に一例として形成されている。
【００２３】
搬送用ローラー１３は、図示しない給送部から給送された用紙Ｐを記録実行領域７に向けて搬送する搬送用駆動ローラー１５と搬送用従動ローラー１７とから構成されている一対のニップローラーである。  
また、前記搬送用従動ローラー１７は、搬送用駆動ローラー１５よりも幾分、記録実行領域７側に偏倚した位置に設けられており、搬送用ローラー１３のニップ点Ｎから繰り出された用紙Ｐの先端３７が、確実に前記支持リブ９Ａの支持面１１に当接するように下向きに繰り出すことで用紙Ｐの先端３７の記録ヘッド５との接触を回避し得るように構成されている。
【００２４】
排出用ローラー１９は、記録が実行された用紙Ｐを記録装置本体（以下、「プリンター本体」ともいう）の外部に向けて排出する排出用駆動ローラー２１と排出用従動ローラー２３とから構成されている一対のニップローラーである。  
また、前記排出用従動ローラー２３は、排出用駆動ローラー２１よりも幾分、記録実行領域７側に偏倚した位置に設けられており、排出用ローラー１９によってニップされている用紙Ｐの後端３９が搬送用ローラー１３のニップ点Ｎから離れた瞬間の上方への移動を防止して用紙Ｐの後端３９の記録ヘッド５との接触を回避し得るように構成されている。
【００２５】
更に、本実施例では、前記支持リブ９Ａは、上流側端部３１Ａの最高支持高さＨが搬送用ローラー１３のニップ点Ｎにおける接線Ｌよりも低くなるように設定されている。この接線Ｌの作る面は、前記搬送用ローラー１３のニップ点Ｎから繰り出される用紙Ｐの前記搬送経路３５と一致する。すなわち、該傾斜案内部４３は、図１に示したように、前記搬送用ローラー１３のニップ点Ｎにおける接線Ｌが作る面に対して前記記録ヘッド５と反対側に位置するように構成されている。  
そして、前記支持面１１（支持作用部２９）と上流側端部３１Ａとの境界点Ｑと、前記上流側端部３１Ａの最高支持高さＨを有する頂部４１の頂点Ｔと、を結ぶ線分を有する傾斜案内部４３の傾斜角度θは、前記境界点Ｑと頂点Ｔとを結ぶ線分の延長線Ｅが前記搬送用ローラー１３のニップ点Ｎを通る角度θ１に設定されている。
【００２６】
また、前記構造の支持リブ９Ａは、幅方向Ｂに亘って適宜の間隔を空けて配設されている支持リブの全部に、図２に示すように適用することが可能である。
【００２７】
また、図３に示すように、幅方向Ｂに配設されている支持リブの一部を前記構造の支持リブ９Ａによって構成し、残りの支持リブをその上流側端部が従来の下り傾斜構造である支持リブ９０によって構成することも可能である。  
因みに図３では、一例としてＡ４サイズの用紙Ｐ１の縦向き搬送に対応した左右位置と、Ａ３サイズの用紙Ｐ２の縦向き搬送に対応した左右位置との計３個所に前記構造の支持リブ９Ａを配設し、残りの部位を既存の従来構造の支持リブ９０によって構成した本実施例の変形例が開示されている。
【００２８】
そして、このような構造の支持リブ９Ａを採用することによって、用紙Ｐの後端３９が搬送用ローラー１３のニップ点Ｎを通過した直後の下方への移動距離を小さくでき、支持リブ９Ａに当接後の反動による用紙Ｐの跳ね上がりを小さくして紙粉等の飛散を少なくすることができる。  
また、用紙Ｐの後端３９の下方への移動距離が小さくなることに伴って、搬送用ローラー１３のニップ点Ｎを通過する前後における用紙Ｐの姿勢の変化も少なくなり、円滑な用紙Ｐの搬送が実現される。
【００２９】
［実施例２］（図４参照）
実施例２に係る記録装置１Ｂは、前記構造の実施例１に係る記録装置１Ａの支持リブ９Ａにおける上流側端部３１Ａの傾斜案内部４３の傾斜角度θを異らせた実施例である。従って、ここでは前記実施例１と相違する実施例２に特有の構成に絞って説明し、実施例１と共通する構成については、その説明を省略する。
【００３０】
即ち、実施例２では、支持面１１（支持作用部２９）と上流側端部３１Ｂとの境界点Ｑと、頂部４１の頂点Ｔと、を結ぶ線分を有する傾斜案内部４３の傾斜角度θが、前記境界点Ｑと頂点Ｔとを結ぶ線分の延長線Ｅが前記接線Ｌを横切って、前記搬送用ローラー１３のニップ点Ｎの上方に至る角度θ２に設定されている。  
そして、このような構成の支持リブ９Ｂによっても、前記実施例１と同様の作用、効果が発揮される。更に、傾斜角度θが前記実施例１における傾斜角度θ１よりも大きな傾斜角度θ２になったとことによって、用紙Ｐが支持リブ９Ｂの支持面１１に当接した時に生ずる撓みを受け止める撓み許容スペース４５を大きく取ることができ、用紙Ｐの撓み許容スペース４５内での自由な撓み変形によって用紙Ｐの搬送速度の変動を防止するこが可能になる。
【００３１】
［実施例３］（図５参照）
実施例３に係る記録装置１Ｃは、前記構造の実施例１に係る記録装置１Ａの支持リブ９Ａにおける上流側端部３１Ａの傾斜案内部４３の傾斜角度θを異らせた実施例である。従って、ここでは前記実施例１と相違する実施例３に特有の構成に絞って説明し、実施例１と共通する構成についてはその説明を省略する。
【００３２】
即ち、実施例３では、支持面１１（支持作用部２９）と上流側端部３１Ｃとの境界点Ｑと、頂部４１の頂点Ｔと、を結ぶ線分を有する傾斜案内部４３の傾斜角度θが前記境界点Ｑと頂点Ｔとを結ぶ線分の延長線Ｅが前記搬送用ローラー１３のニップ点Ｎの下方を通過する角度θ３に設定されている。  
そして、このような構成の支持リブ９Ｃによっても、前記実施例１と同様の作用、効果が発揮される。更に、前記傾斜角度θが前記実施例１における傾斜角度θ１よりも小さな傾斜角度θ３になったことによって、上流側端部３１Ｃの最高支持高さＨが低くなるため、搬送用ローラー１３のニップ点Ｎから繰り出される用紙Ｐの先端３７の頂部４１に対する引っ掛かりの虞が低減され、円滑な用紙Ｐの搬送が実現される。
【００３３】
［実施例４］（図６参照）
実施例４に係る記録装置１Ｄは、前記構造の実施例１に係る記録装置１Ａの支持リブ９Ａにおける傾斜案内部４３の面の形状を異らせた実施例である。従って、ここでは前記実施例１と相違する実施例４に特有の構成に絞って説明し、実施例１と共通する構成については、その説明を省略する。
【００３４】
即ち、実施例４では、支持リブ９Ｄにおける傾斜案内部４３の面の形状が用紙Ｐの搬送方向Ａに沿って凹曲面になるように形成されている。  
そして、このような構成の支持リブ９Ｄによっても、前記実施例１と同様の作用、効果が発揮され、更に用紙Ｐの引っ掛かりが防止されるから円滑な用紙Ｐの搬送が実現される。
【００３５】
［実施例５］（図７、図８参照）
実施例５に係る記録装置１Ｅは、前記構造の実施例１に係る記録装置１Ａの支持リブ９Ａにおける頂部４１の形状を異らせた実施例である。従って、ここでは前記実施例１と相違する実施例５に特有の構成に絞って説明し、実施例１と共通する構成についてはその説明を省略する。
【００３６】
即ち、実施例５では、支持リブ９Ｅの上流側端部３１Ｅにおける頂部４１に面取り加工が施されている。尚、面取り加工の態様としては、図７に示すようなアール面取り４９の他、図８に示すような角面取り５１が可能である。  
そして、このような構成の支持リブ９Ｅによっても、前記実施例１と同様の作用、効果が発揮され、更に用紙Ｐの先端部３７の頂部４１に対する引っ掛かりが防止されるから円滑な用紙Ｐの搬送が実行される。
【００３７】
［他の実施例］
本発明に係る記録装置１は、以上述べたような構成を有することを基本とするものであるが、本願発明の要旨を逸脱しない範囲内の部分的構成の変更や省略等を行うことも勿論可能である。  
例えば、本発明の記録装置１は、インクジェットプリンターに限らず、レーザープリンター、複写機、ファクシミリ等の他の記録装置でも構わない。また、被記録材Ｐは、用紙Ｐに限らず、ポリエステルフィルム等の合成樹脂フィルムや被記録面と反対側の面に接着剤が塗布されて剥離紙が貼布されているラベル紙等の積層フィルムであっても構わない。
【００３８】
また、支持リブ９の上流側端部３１の最高支持高さＨは、常に一定の高さに設定する他、被記録材Ｐの厚さや材質等によって調整し得るように可変式の構成にすることも可能である。また、支持リブ９の上流側端部３１の最高支持高さＨを有する部位は、上流側端部３１の搬送用ローラー１３側の端部に形成される他、幾分、境界点Ｑ側に変位した位置でも構わない。また、傾斜案内部４３の傾斜角度θも被記録材Ｐの厚さや材質等によって調整し得るように可変式の構成にすることも可能である。
【符号の説明】
【００３９】
１  インクジェットプリンター（記録装置）、３  支持部材、５  記録ヘッド、
７  記録実行領域、９  支持リブ、１１  支持面、１３  搬送用ローラー、
１５  搬送用駆動ローラー、１７  搬送用従動ローラー、１９  排出用ローラー、
２１  排出用駆動ローラー、２３  排出用従動ローラー、２５  キャリッジ、
２７  インク吐出面、２９  支持作用部、３１  上流側端部、３３  下流側端部、
３５  搬送経路、３７  先端（部）、３９  後端、４１  頂部、４３  傾斜案内部、
４５  撓み許容スペース、４７  境界部、     ４９  アール面取り、５１  角面取り、
９０  （既存の）支持リブ、Ｐ  用紙（被記録材）、Ａ  搬送方向、Ｂ  幅方向、
ＰＧ  ギャップ、Ｈ  最高支持高さ、Ｎ  ニップ点、Ｌ  接線、Ｑ  境界点、
Ｔ  頂点、θ  傾斜角度、Ｅ  延長線
【図１】
2011101983.tif 000003
【図２】
2011101983.tif 000004
【図３】
2011101983.tif 000005
【図４】
2011101983.tif 000006
【図５】
2011101983.tif 000007
【図６】
2011101983.tif 000008
【図７】
2011101983.tif 000009
【図８】
2011101983.tif 000010